(57)【特許請求の範囲】
【請求項１】
フェムトセルアクセスポイントが自己設定する方法であって、
前記フェムトセルアクセスポイントが、第１のサーバを発見する初期化段階と、
前記フェムトセルアクセスポイントが承認されている位置にある位置承認段階であるとの、前記第１のサーバによる判断に呼応して、
近隣の複数の基地局に関するネットワークをスキャンする段階と、
前記ネットワークにプロビジョンされている前記複数の基地局から複数の基地局識別子を、前記ネットワークをスキャンすることに呼応して受信する段階と、
前記複数の基地局識別子が受信された前記複数の基地局の無線信号強度インジケータ値を決定する段階と、
前記複数の基地局識別子および前記無線信号強度インジケータ値を前記第１のサーバに送信する段階と、
前記複数の基地局識別子および前記無線信号強度インジケータ値を送信すると、前記第１のサーバから設定値を受信する段階と、
前記設定値を利用して前記フェムトセルアクセスポイントが自己設定する段階と
を備える方法。
【請求項２】
前記複数の基地局識別子は、ダウンリンクブロードキャストメッセージで受信される請求項１に記載の方法。
【請求項３】
１以上のクエリを前記第１のサーバから第２のサーバに送信する段階をさらに備え、
前記１以上のクエリには、前記複数の基地局識別子が含まれる請求項１に記載の方法。
【請求項４】
前記１以上のクエリに含まれている前記複数の基地局識別子についての設定データを前記第２のサーバから受信する段階を備える請求項３に記載の方法。
【請求項５】
前記設定データには、媒体アクセス制御層データおよび物理層データが含まれる請求項４に記載の方法。
【請求項６】
ハンドオフ閾値を超える無線信号強度インジケータ値を有する一式の基地局を特定する段階を備える請求項４に記載の方法。
【請求項７】
他の基地局の前記無線信号強度インジケータが前記ハンドオフ閾値を超えて増加する場合には、前記一式の基地局を、前記他の基地局を含むように動的に変更する請求項６に記載の方法。
【請求項８】
前記第１のサーバが、前記第２のサーバから受信した前記設定データを利用して前記一式の基地局についての設定値を決定する段階を備える請求項６に記載の方法。
【請求項９】
前記一式の基地局の前記設定値を、サービス提供を行う前記フェムトセルアクセスポイントに送信する段階を備える請求項８に記載の方法。
【請求項１０】
前記サービス提供を行うフェムトセルアクセスポイントが、前記一式の基地局との間に接続を構築することができるよう、前記設定値を利用して前記サービス提供を行うフェムトセルアクセスポイントを設定する段階を備える請求項９に記載の方法。
【請求項１１】
自己設定を行うフェムトセルアクセスポイントであって、
インタフェースと、
前記インタフェースに連結された制御ユニットと、
前記インタフェースと前記制御ユニットとに連結されたスキャンエンジンと
を備え、
前記スキャンエンジンは、前記制御ユニットからの指示を受信すると、近隣の複数の基地局をスキャンして、
前記制御ユニットは、
第１のサーバを発見し、前記フェムトセルアクセスポイントが承認されている位置にあるとの、前記第１のサーバによる判断に呼応して、
ネットワークにプロビジョンされている前記近隣の複数の基地局をスキャンし、
前記ネットワークをスキャン後に前記ネットワーク内にプロビジョンされている前記近隣の複数の基地局から複数の基地局識別子を受信して、
前記複数の基地局識別子が受信された前記複数の基地局の無線信号強度インジケータ値を決定して、
前記複数の基地局識別子および前記無線信号強度インジケータ値をパラメータテーブルに格納して、
前記複数の基地局識別子および前記無線信号強度インジケータ値を前記第１のサーバに送信して、
前記複数の基地局識別子および前記無線信号強度インジケータ値を送信すると、前記第１のサーバから設定値を受信して、
前記設定値を利用して前記フェムトセルアクセスポイントを自己設定する
フェムトセルアクセスポイント。
【請求項１２】
前記制御ユニットは、前記複数の基地局からのダウンリンクブロードキャストメッセージに含まれる前記複数の基地局識別子を受信する請求項１１に記載のフェムトセルアクセスポイント。
【請求項１３】
前記制御ユニットは、前記複数の基地局から受信する信号の強度に基づいて前記無線信号強度インジケータ値を決定する請求項１２に記載のフェムトセルアクセスポイント。
【請求項１４】
前記制御ユニットは、前記ネットワークにプロビジョンされている前記複数の基地局から選択された一式の基地局の前記設定値を受信する請求項１１に記載のフェムトセルアクセスポイント。
【請求項１５】
前記制御ユニットはさらに１以上の設定レジスタを含み、
前記制御ユニットは、前記フェムトセルアクセスポイントが前記一式の基地局との間の接続を構築することができる前記設定値で、前記１以上の設定レジスタを設定する請求項１４に記載のフェムトセルアクセスポイント。
【発明の詳細な説明】
【背景技術】
【０００１】
ブロードバンドアクセス技術の急速な発展により、家庭、職場、および企業、並びに、都市および地方において、ブロードバンドサービスが急速に普及してきている。無線ブロードバンドアクセスを可能とするために、サービスプロバイダは、オーバーレイマクロ基地局（ＯＭＢＳ）を設置し始めた。ＯＭＢＳを設置するサービスプロバイダは、ＯＭＢＳの位置、および、ＯＭＢＳそれぞれのプロビジョンに利用することのできる属性をトラックおよび維持する。設置が必要なＯＭＢＳの数は、フェムトセルアクセスポイント（ＦＡＰ）より少ないので、サービスプロバイダにとっては、ＯＭＢＳを設置して、ＯＭＢＳをサービス提供領域で協調動作させるほうが比較的簡単である。
【０００２】
どこにいても、良好にネットワーク接続ができ、音声およびデータサービス両方にアクセスすることを望むモバイルユーザの数がかなり増加してきている。特に、家庭および小規模なオフィスビルではモバイルネットワークの接続状態が非常に悪い場合が多く、モバイルユーザに不便を強いている。セルラーサービス接続の品質を向上させるべく、サービスプロバイダは、莫大な数のフェムトセルアクセスポイント（ＦＡＰ）を家庭、小規模オフィス、およびその他の場所に設置することを計画している。このようなＦＡＰの大規模設置によって、モバイルサービス接続が、特に家庭、小規模オフィス、その他の場所において向上することが期待されている。しかし、手動でＦＡＰのトラックロールを行ったり、ＦＡＰを管理したりしようとすることは、オペレータに負担を強いることになる。
【０００３】
ここに記載する発明は、例示により説明され、添付図面による制限は受けない。図示を簡潔および明瞭に行うべく、図面に示す部材は、必ずしも実際の縮尺に準じて描かれてはいない。例えば一部の部材の大きさを他の部材よりも強調表示することで明瞭化を期している場合がある。さらに、適切と思われる箇所では、図面間で参照番号を繰り返すことで、対応する、または類似した部材同士であることを示している。
【図面の簡単な説明】
【０００４】
【図１】ネットワーク環境１００を示す。
【０００５】
【図２】一実施形態におけるフェムトセルアクセスポイント（ＦＡＰ）の自己設定を可能とする状態ダイアグラム２００を示す。
【０００６】
【図３】一実施形態におけるＦＡＰの自己設定をサポートすることのできるフェムトセルアクセスポイント（ＦＡＰ）のブロック図である。
【０００７】
【図４】一実施形態における、自己設定を行いながらのＦＡＰ処理を示すフローチャート４００である。
【０００８】
【図５Ａ】一実施形態における自己設定を行うためにＦＡＰが利用することのできるパラメータテーブル３６５を示す。
【図５Ｂ】一実施形態における自己設定を行うためにＦＡＰが利用することのできる設定テーブル３７５を示す。
【０００９】
【図６】一実施形態におけるＦＡＰの自己設定をサポートすることのできる第１のサーバのブロック図である。
【００１０】
【図７】一実施形態におけるＳＯＮサーバからの応答を受信した後の、第１のサーバがポピュレートする設定テーブル７００を示す。
【００１１】
【図８】一実施形態における、ＦＡＰが自己設定を実行するのをサポートしながらの第１のサーバの処理を示すフローチャート８００である。
【００１２】
【図９】一実施形態における、ＦＡＰの自己設定をサポートすることのできる第２のサーバのブロック図を示す。
【００１３】
【図１０】一実施形態における、ＦＡＰが自己設定を実行する動作をサポートしながらの第２のサーバの処理を示すフローチャート１０００である。
【発明を実施するための形態】
【００１４】
以下の記載により、フェムトセルアクセスポイント（ＦＡＰ）が実行する自己設定技術を説明する。以下の記載において、論理実装、リソース分割、または共有、または複製実装、システムコンポーネントの種類および相互関係、および、論理分割または統合等の数多くの詳細を述べて、本発明の完全な理解を促す。しかし、当業者であれば本発明がこれらの詳細なしに実行可能であることを理解する。また他の場合には、制御構造、ゲートレベル回路、および全ソフトウェア命令シーケンスについては詳述を避けて本発明を曖昧にしないようにしている。当業者であれば、ここに含まれる記載を読むことにより、過度な説明なしに適切な機能を実装することができると信ずる。
【００１５】
「一実施形態」「１つの実施形態」「例示的な実施形態」等の明細書における言及は、ここに記載される実施形態が特定の特徴、構造、または特性を有することを示しているが、必ずしも全ての実施形態がその特定の特徴、構造、または特性を有さねばならないという意味ではない。さらに、これらの表現は必ずしも同じ実施形態のことを示しているわけではない。さらに、特定の特徴、構造、または特性が、ある実施形態との関連で記載されている場合には、明示されていようといまいと他の実施形態におけるこれら特徴、構造、または特性にも影響を与える、ということは当業者の知識の範囲内である。
【００１６】
本発明の実施形態は、ハードウェア、ファームウェア、ソフトウェアまたはこれらの任意の組み合わせで実装可能である。本発明の実施形態はさらに、１以上のプロセッサにより読み出されて実行されうる機械可読媒体に格納されている命令としても実装可能である。機械可読媒体は、機械（例えばコンピューティングデバイス）が可読な形で情報を格納または送信することができる任意のメカニズムを含んでよい。
【００１７】
例えば機械可読格納媒体は、読み取り専用メモリ（ＲＯＭ）、ランダムアクセスメモリ（ＲＡＭ）、磁気ディスク格納媒体、光格納媒体、フラッシュメモリデバイス、電気形態、光形態の信号を含んでよい。さらに、ファームウェア、ソフトウェア、ルーチン、および命令が、ここでは一定の動作を実行するものとして記載されていてよい。しかし、これらの記載は単に便宜上のものであり、これらの動作は、実際にはコンピューティングデバイス、プロセッサ、コントローラ、およびその他の、ファームウェア、ソフトウェア、ルーチン、および命令を実行するデバイスにより行われる。
【００１８】
一実施形態では、フェムトセルアクセスポイント（ＦＡＰ）は、ＦＡＰに近隣のＦＡＰ（ＮＦＡＰ）およびオーバーレイマクロ基地局（ＯＭＢＳ）との間の協調動作を行わせる、自己設定を実行してよい。一実施形態では、サービス提供ＦＡＰは、近隣のＦＡＰ（ＮＦＡＰ）およびオーバーレイマクロ基地局（ＯＭＢＳ）をスキャンしてよい。スキャンに呼応して、サービス提供ＦＡＰは、基地局（例えば近隣のＦＡＰ（ＮＦＡＰ）およびネットワークにプロビジョンされるＯＭＢＳ）の基地局識別子（ＢＳＩＤ）を受信してよい。一実施形態では、スキャン信号に応答することのできる各ＮＦＡＰおよびＯＭＢＳの信号強度は所定であってよい。
【００１９】
一実施形態では、サービス提供ＦＡＰは、次いで、ＢＳＩＤのリストおよび対応するＲＳＳＩを送信することのできる自己編成ネットワーク（ＳＯＮ）サーバを決定してよい。一実施形態では、ＳＯＮサーバは、ＢＳＩＤのリストをＯＡＭ＆Ｐサーバに送信して、これに対する返信として、リストで特定されている各基地局に関連付けられている設定データを、ＯＡＭ＆Ｐサーバから受信してよい。一実施形態では、ＳＯＮサーバは、サーバＦＡＰ特有の設定パラメータを設定データから生成して、この設定パラメータをサービス提供ＦＡＰに送信することができる。一実施形態では、サービス提供ＦＡＰは、次いで、媒体アクセス制御（ＭＡＣ）値および物理（ＰＨＹ）層値等の１以上のパラメータ／値をＳＯＮサーバから受信してよい。一実施形態では、サービス提供ＦＡＰは、設定パラメータ／値を利用して、自己設定を実行することで、ＦＡＰの手動管理を回避することができる。
【００２０】
図１に、自己設定を実行することのできるフェムトセルアクセスポイント（ＦＡＰ）を設定することができるネットワーク環境１００の一実施形態を示す。一実施形態では、ネットワークワーク１００は、モバイルサービスエリア１１０−Ａおよび１１０−Ｂ、フェムトセルアクセスポイント１２０−Ａおよび１２０−Ｂ、無線ネットワーク１３０、オーバーレイマクロ基地局ＯＭＢＳ１４０、およびコアネットワーク１５０を含んでよい。一実施形態では、無線ネットワーク１３０は、自己編成ネットワークサーバ（ＳＯＮ）１６０、ＦＡＰゲートウェイ１６５、オーバーレイＯＭＢＳ（ＯＭＢＳ）ゲートウェイ１７０、ＡＡＡサーバ１７５、およびＯＡＭ＆Ｐ（operation, administration, maintenance, and provisioning：処理、管理、維持、およびプロビジョン）サーバ１８０を含んでよい。一実施形態では、ＦＡＰ１２０−ＡおよびＦＡＰ１２０−Ｂは、ＦＡＰゲートウェイ１６５に、コアネットワーク１５０経由でモデム１０４−Ａおよび１０４−Ｂを利用して連結されてよい。一実施形態では、モバイルサービスエリア１１０−Ａおよび１１０−Ｂは、それぞれ、１以上の移動局ＭＳ１０５−Ａ、ＭＳ１０５−Ｂ、１０５−Ｋ、および、ＭＳ１０６−Ａ、ＭＳ１０６−Ｂ、ＭＳ１０６−Ｋを含んでよい。一実施形態では、コアネットワーク１５０は、公衆電話交換回線網（ＰＳＴＮ）、インターネットプロトコル（ＩＰ）ベースのネットワーク、その他のネットワークを含んでよい。
【００２１】
一実施形態では、ネットワーク環境１００は、ＦＡＰ１２０およびＯＭＢＳ１４０に類似したＦＡＰおよびＯＭＢＳをこれ以上の数、含んでもよい。一実施形態では、ＦＡＰ１２０−Ａは、「サービス提供ＦＡＰ」（ＳＦＡＰ）と称されてよく、サービス提供ＦＡＰ１２０−Ａは、近隣のＦＡＰ（ＮＦＡＰ）（例えばＮＦＡＰ１２０−Ｂ）およびオーバーレイマクロ基地局（例えばＯＭＢＳ１４０）をスキャンしてよい。一実施形態では、サービス提供ＦＡＰ１２０−Ａは、近隣のＦＡＰ（例えばＮＦＡＰ１２０−Ｂ）およびオーバーレイマクロ基地局（例えばＯＭＢＳ１４０）からブロードキャスト信号を受信してよい。一実施形態では、ブロードキャスト信号は、近隣のＦＡＰおよびＯＭＢＳの基地局識別子（ＢＳＩＤ）を含んでいてよい。一実施形態では、サービス提供ＦＡＰ１２０−Ａは、ＦＡＰ（例えばＮＦＡＰ１２０−Ｂ）およびＯＭＢＳ（例えばＯＭＢＳ１４０）とから、基地局識別子（ＢＳＩＤ）を、近隣のＦＡＰおよびＯＭＢＳから送信されたブロードキャストメッセージの形式で一定間隔で受信したり、特定のイベントまたはトリガが生じたことに呼応して受信したりすることができる。他の実施形態では、サービス提供ＦＡＰ１２０−Ａは、ＢＳＩＤを、応答する側のＮＦＡＰ１２０−ＢおよびＯＭＢＳ１４０が送信するダウンリンクマップ（ＤＬ−ＭＡＰ）ブロードキャストメッセージから受信することができる。
【００２２】
一実施形態では、サービス提供ＦＡＰ１２０−Ａは、近隣のＮＦＡＰおよびＯＭＢＳから識別子またはＢＳＩＤを受信して、応答する側のＮＦＡＰおよびＯＭＢＳの無線信号強度インジケータ（ＲＳＳＩ）を決定することができる。一実施形態では、サービス提供ＦＡＰ１２０−Ａは、ＮＦＡＰ１２０−ＢおよびＯＭＢＳ１４０から基地局識別子（ＢＳＩＤ）を受信すると、ＮＦＡＰ１２０−ＡおよびＯＭＢＳ１４０それぞれについてのＲＳＳＩ−ＡおよびＲＳＳＩ−Ｂを決定してよい。一実施形態では、サービス提供ＦＡＰ１２０−Ａは、ＳＯＮサーバ１６０に対して、各基地局のＢＳＩＤと対応するＲＳＳＩ値との組み合わせを送信してよい。一実施形態では、サービス提供ＦＡＰ１２０−Ａは、ＢＳＩＤとＲＳＳＩとの組み合わせを送信すると、ＳＯＮサーバ１６０から１以上の設定パラメータ／値を受信してよい。一実施形態では、設定値には、ＭＡＣおよびＰＨＹ設定データ、および、送信電力、アップリンク中央周波数、ダウンリンク中央周波数、およびプリアンブルシーケンス等のその他の属性が含まれてよい。一実施形態では、サービス提供ＦＡＰ１２０−Ａは、設定データを利用して、属性を設定することで、サービス提供ＦＡＰ１２０−Ａの通常処理を促すことができる。サービス提供ＦＡＰ１２０−Ａは、自身の設定を、手動処理なしに自動で行うので、サービス提供ＦＡＰ１２０−Ａは、自己設定ＦＡＰと称されてよい。
【００２３】
一実施形態では、ＳＯＮサーバ１６０は、各基地局用のＢＳＩＤおよびＲＳＳＩを受信してよい。一実施形態では、ＳＯＮサーバ１６０は、選択されたＢＳＩＤを含むクエリを生成してから、このクエリ（１または複数）をＯＡＭ＆Ｐサーバ１８０に送信してよい。一実施形態では、ＳＯＮサーバ１６０は、ＯＡＭ＆Ｐサーバ１８０にクエリが送信されることにより、ＭＡＣおよびＰＨＹ設定データを受信してよい。
【００２４】
一実施形態では、ＳＯＮサーバ１６０は、クエリ内の各ＢＳＩＤ用にＭＡＣおよびＰＨＹ設定データを受信してよい。一実施形態では、ＭＡＣおよびＰＨＹ設定データは、ＰＨＹ独立アップリンクチャネル特性、直交周波数分割多重接続（ＯＦＤＭＡ）アップリンクチャネル特性、（ＯＦＤＭＡ）アップリンクバーストプロフィール、（ＯＦＤＭＡ）ダウンリンクチャネル特性、ＯＦＤＭＡダウンリンクバーストプロフィール、および／または、他の設定データを含んでよい。
【００２５】
一実施形態では、ＳＯＮサーバ１６０は、ＭＡＣおよびＰＨＹ設定データを利用して、近隣の基地局の設定データに基づいて、サービス提供ＦＡＰ１２０−Ａの設定値を決定することができる。一実施形態では、ＳＯＮサーバ１６０は、ＯＡＭ＆Ｐサーバ１８０から受信したＭＡＣおよびＰＨＹ設定データに対して他の属性を追加することもできる。一実施形態では、他の属性には、送信電力、アップリンク中央周波数、ダウンリンク中央周波数、プリアンブルシーケンス、および類似した他の属性が含まれてよい。
【００２６】
一実施形態では、ＳＯＮサーバ１６０は、サービス提供ＦＡＰ１２０−Ａから受信したＲＳＳＩ値を利用して、近隣のデバイスの予備リストを準備してよい。例えば、ＯＭＢＳ１４０は、サービス提供ＦＡＰ１２０−Ａ用のオーバーレイマクロ基地局を表しているので、予備リストには、ＯＭＢＳ１４０が含まれてよい。オーバーレイＯＭＢＳに加えて、ＳＯＮサーバ１６０は、ＲＳＳＩ値がハンドオフ閾値を満たしているような近隣のＦＡＰ（例えばＮＦＡＰ１２０−Ｂ）を特定してよい。
【００２７】
一実施形態におけるＳＯＮサーバ１６０は、例えば−５０ｄｂｍのハンドオフ閾値を利用してよく、ＲＳＳＩ値が−５０ｄｂｍを超えるサービス提供ＦＡＰ１２０−Ｂの近隣の基地局が、近隣デバイスの予備リストに載せられてよい。一実施形態では、ＳＯＮサーバ１６０は、度近隣の基地局のＲＳＳＩがハンドオフ閾値を超えている場合に、予備リストを動的にポピュレートしてよい。一実施形態では、予備リストは、移動局１０５および１０６から受信するさらなる計測値に基づいて動的に変更することができる。一実施形態では、ＳＯＮサーバ１６０は、サービス提供ＦＡＰ１２０−Ａに対して設定値を送信してよい。
【００２８】
一実施形態では、ＯＡＭ＆Ｐサーバ１８０は、１以上のクエリをＳＯＮサーバ１６０から受け取ると、ＭＡＣおよびＰＨＹ設定データを生成してよい。一実施形態では、ＯＡＭ＆Ｐサーバ１８０が提供するＭＡＣおよびＰＨＹ設定データは、ＰＨＹ独立アップリンクチャネル特性、直交周波数分割多重接続（ＯＦＤＭＡ）アップリンクチャネル特性、（ＯＦＤＭＡ）アップリンクバーストプロフィール、（ＯＦＤＭＡ）ダウンリンクチャネル特性、ＯＦＤＭＡダウンリンクバーストプロフィール、および／または、類似した他の設定データを含んでよい。
【００２９】
図２には、サービス提供フェムトセルアクセスポイント（ＦＡＰ）１２０−Ａの自己設定処理を示す状態ダイアグラム２００が示されている。一実施形態では、状態ダイアグラム２００が、電力投入リセット等のイベント時に開始されてよい。一実施形態では、サービス提供ＦＡＰ１２０−Ａが、この初期化イベント等を検知したときに、初期化段階２１０に入る。初期化段階２１０中に、一実施形態では、サービス提供ＦＡＰ１２０−Ａは、スキャン信号を送信することで近隣をスキャンしてよく、ＤＬ−ＭＡＰ信号を利用してスキャン信号に応答することのできる近隣の基地局の識別子を受信することができる。一実施形態では、サービス提供ＦＡＰ１２０−Ａは、識別子（ＢＳＩＤ）が特定する基地局それぞれのＲＳＳＩを決定することができる。一実施形態では、サービス提供ＦＡＰ１２０−Ａは、初期化段階２１０中にＳＯＮサーバ１６０を発見することができる。ＳＯＮサーバ１６０を検知すると、位置承認段階２２０に移る。
【００３０】
位置承認段階２２０では、ＳＯＮサーバ１６０は、サービス提供ＦＡＰ１２０−Ａが、承認されている位置にあるかを判断してよい。サービス提供ＦＡＰ１２０−Ａが承認されている位置に位置している場合に、自己設定段階２４０に移る。自己設定段階２４０中に、サービス提供ＦＡＰ１２０−Ａは、近隣のＦＡＰおよびＯＭＢＳをスキャンすることができる。一実施形態では、サービス提供ＦＡＰ１２０−Ａが近隣のＦＡＰおよびＯＭＢＳをスキャンした結果、サービス提供ＦＡＰ１２０−Ａの近隣の基地局それぞれのＢＳＩＤが受信されてよい。さらに、スキャンレポートには、ＢＳＩＤが表す基地局それぞれのＲＳＳＩ値が含まれていてよい。一実施形態では、ＳＯＮサーバ１６０は、レポートに含まれている１以上のＢＳＩＤを含むクエリを送信してよく、または、それぞれが近隣の基地局のＢＳＩＤを有する複数のクエリを生成してよい。一実施形態では、ＳＯＮサーバ１６０は、クエリを送信すると、ＯＡＭ＆Ｐサーバ１８０からＭＡＣおよびＰＨＹ設定データを受信してよい。一実施形態では、ＳＯＮサーバ１６０は、ＭＡＣおよびＰＨＹ設定データに基づいて設定値を生成してよく、この設定値をサービス提供ＦＡＰ１２０−Ａに送信してよい。ＳＯＮサーバ１６０がサービス提供ＦＡＰ１２０−Ａに設定値を送信すると、自己設定段階２４０に達してよい。
【００３１】
自己設定が成功すると、処理段階２５０に移ってよい。一実施形態では、サービス提供ＦＡＰ１２０−Ａは、移動局ＭＳ１０５および１０６と、コアネットワーク１５０との間の音声および／またはデータ転送をサポートすることを含みうる通常処理を行ってよい。リセットまたは任意の他のイベントが処理段階２５０中に検知されると、初期化段階２１０に移ってよい。
【００３２】
図３は、自己設定を実行してよいサービス提供ＦＡＰ１２０−Ａの一実施形態を示している。一実施形態では、サービス提供ＦＡＰ１２０−Ａは、インタフェース３１０、パース３２０、データ処理ユニット３３０、メモリ３３５、制御ユニット３４０、スキャンエンジン３５０、パラメータテーブル３６５、および設定テーブル３７５を含んでよい。
【００３３】
一実施形態では、インタフェース３１０は、サービス提供ＦＡＰ１２０−Ａに、ネットワーク環境１００内の他のブロックと通信することを許可してよい。一実施形態では、インタフェース３１０は、ＩＥＥＥ（アイトリプルイー）が承認しているＩＥＥＥ規格８０２．１６ＴＭ等の無線プロトコルをサポートしていてよい。一実施形態では、インタフェース３１０は、電気、物理、およびプロトコルインタフェースを、ネットワーク１００の他のブロックに提供してよい。一実施形態では、インタフェース３１０は、無線リンクを介して入力されるユニットを受信して、この入力ユニットをパーサ３２０に転送してよい。一実施形態では、インタフェース３１０は、データ処理ユニット３３０からの出力データユニットを受信してよく、出力データユニットを処理して、処理された出力データユニットを無線リンクを介して送信してよい。一実施形態では、インタフェース３１０の処理は、制御ユニット３４０により制御されてよい。
【００３４】
一実施形態では、パーサ３２０は、入力ユニットの内容に基づいて、入力ユニットを、データ処理ユニット３３０または制御ユニット３４０のいずれかにルーティングしてよい。一実施形態では、パーサ３２０は、基地局識別子を含みうる入力ユニットを受信し、このパケットを制御ユニット３４０に転送してよい。一実施形態では、入力ユニットがデータまたは音声パケットを含んでもよく、これらのパケットはデータ処理ユニット３３０に送り、さらなる処理を受けさせてよい。一実施形態では、データ処理ユニット３３０は、パケットをメモリ３３５に格納する前にパケットを処理してもよいし、または、メモリ３３５に格納されているパケットを取得して、まずそのパケットを処理してから、処理済のパケットをインタフェース３１０に送信するようにしてもよい。
【００３５】
一実施形態では、スキャンエンジン３５０は、スキャン開始信号を制御ユニット３４０から受信すると、ネットワーク環境１００をスキャンしてよい。一実施形態では、スキャンエンジン３５０は、ネットワーク環境１００にプロビジョンされているＮＦＰＡ１２０−Ｂおよび／またはＯＭＢＳ１４０等の１以上の基地局からの基地局識別子を受信してよい。一実施形態では、スキャンエンジン３５０は、識別子ユニットを制御ユニット３４０に送信してよい。他の実施形態では、スキャン処理は制御ユニット３４０により実行されてもよい。
【００３６】
一実施形態では、制御ユニット３４０は、スキャンエンジン３５０に対してスキャン開始信号を送信してよい。一実施形態では、制御ユニット３４０は、スキャン開始信号をスキャンエンジン３５０に送信すると、基地局識別子を受信してよい。一実施形態では、制御ユニット３４０は、基地局識別子をパラメータテーブル３６５に格納してよい。一実施形態では、制御ユニット３４０は、基地局識別子を受信する基地局それぞれの無線信号に存在する電力を判断することができる。一実施形態では、制御ユニット３４０は、サービス提供ＦＡＰ１２０−Ａと、ＮＦＡＰ１２０−ＢおよびＯＭＢＳ１４０等の他の基地局との間の無線信号の電力を示しうる無線信号強度インジケータ（ＲＳＳＩ）を決定することができる。一実施形態では、制御ユニット３４０は、基本無線周波数信号を受け取り信号強度に相当する出力を生成することのできる基本回路を含んでよい。一実施形態では、制御ユニット３４０は、ネットワーク環境１００にプロビジョンされた基地局のＲＳＳＩ値を更新することができる。一実施形態では、制御ユニット３４０は、パラメータテーブル３６５に、対応する基地局識別子（ＢＳＩＤ）と関連付けられたＲＳＳＩ値を格納してよい。
【００３７】
一実施形態では、制御ユニット３４０は、基地局識別子（ＢＳＩＤ）と対応するＲＳＳＩとを、自己編成ネットワーク（ＳＯＮ）サーバ１６０に提供してよい。一実施形態では、制御ユニット３４０は、ＢＳＩＤと対応するＲＳＳＩとを提供すると、ＳＯＮサーバ１６０から設定値を受信してよい。一実施形態では、制御ユニット３４０は、ＳＯＮサーバ１６０から受信したＭＡＣおよびＰＨＹパラメータを利用して、ＩＥＥＥ（登録商標）８０２．１６規格に定義されているＭＡＣおよびＰＨＹパラメータを設定することで、サービス提供ＦＡＰ１２０−Ａを自己設定することができる。一実施形態では、制御ユニット３４０は、設定テーブル３７５に各ＢＳＩＤに対応する設定値を格納することができる。一実施形態では、制御ユニット３４０は、さらに設定値を設定される設定レジスタ３４２を含んでよく、この設定値によって、サービス提供ＦＡＰ１２０−Ａは、その設定値に対応するネットワーク内の基地局との間に接続を構築することができる。
【００３８】
自己設定を実行することができるサービス提供ＦＡＰ１２０−Ａの処理の一実施形態を図４のフローチャートに示す。ブロック４２０では、スキャンエンジン３５０が、ネットワーク環境１００をスキャンして、オーバーレイマクロ基地局（例えばＯＭＢＳ１４０）および近隣のフェムトセルアクセスポイント（例えばＮＦＡＰ１２０−Ｂ）の存在を判断することができる。
【００３９】
ブロック４３０で、制御ユニット３４０は、オーバーレイマクロ基地局および近隣のフェムトセルアクセスポイント（ＮＦＡＰ）等の基地局がネットワーク環境１００内に発見されるかを判断してよい。近隣の基地局が発見されると制御をブロック４４０に渡し、発見されない場合には、ブロック４２０に示すように一定の間隔でのネットワークのスキャンを継続することができる。
【００４０】
ブロック４４０で、制御ユニット３４０は、近隣の基地局の基地局識別子を含みうる情報ユニットを受信してよい。一実施形態では、ＮＦＡＰ１２０−Ｂからのレポートは、ＢＳＩＤ番号２に等しい識別子フィールドを含んでよく、ＯＭＢＳ１４０からのレポートは、ＢＳＩＤ番号１に等しい識別子を含んでよい。一実施形態では、制御ユニット３４０は、パラメータテーブル３６５にこれら基地局識別子を格納してよい。
【００４１】
ブロック４５０で、制御ユニット３４０は、基地局（例えばＮＦＰＡ１２０−ＢおよびＯＭＢＳ１４０）が送信する情報信号を利用して、受信した信号強度を判断または計測することができる。一実施形態では、制御ユニット３４０は、無線周波数信号の強度を計測して、計測した信号をＲＳＳＩ等のフォーマットで提供することのできる基本電子回路を含んでもよい。
【００４２】
ブロック４６０で、制御ユニット３４０は、ネットワーク環境１００内にプロビジョンされている基地局（例えばＮＦＰＡ１２０−ＡおよびＯＭＢＳ１４０）のＢＳＩＤおよび基地局の対応するＲＳＳＩを含みうるレポートを生成してよい。一実施形態では、パラメータテーブル３６５に格納されているレポートは、図５Ａに示されているものであってよい。一実施形態では、パラメータテーブル３６５は、ＢＳＩＤ５１０およびＲＳＳＩ５１５という列を含んでよい。一実施形態では、ＢＳＩＤ５１０は、基地局の識別子ＢＳＩＤ番号１、ＢＳＩＤ番号２、…ＢＳＩＤ番号ｎを含んでよい。一実施形態では、識別子ＢＳＩＤ番号１、ＢＳＩＤ番号２は、それぞれ、ＮＦＡＰ１２０−ＢおよびＯＭＢＳ１４０の基地局識別子を表していてよい。一実施形態では、ＲＳＳＩ５１５の列は、無線信号強度インジケータ値Ｘ１、Ｘ２、…Ｘｎを含んでよい。一実施形態では、ＲＳＳＩ値Ｘ１およびＸ２は、それぞれ基地局ＮＦＡＰ１２０−ＢおよびＯＭＢＳ１４０のＲＳＳＩ値を表していてよい。
【００４３】
ブロック４７０で、制御ユニット３４０は、レポートを自己編成ネットワーク（ＳＯＮ）サーバ１６０に送信することができる。ブロック４８０で、制御ユニット３４０は、前に（ブロック４４０で）基地局識別子で応答した各基地局の設定データまたは設定値を受信してよい。一実施形態では、制御ユニット３４０は、レポートを送信すると、ＳＯＮサーバ１６０から設定値を受信してよい。
【００４４】
ブロック４８５で、制御ユニット３４０は、設定テーブル４７５を更新してよい。一実施形態では、設定テーブル３７５は図５Ｂに示されているものであってよい。一実施形態では、設定テーブル３７５は、ＢＳＩＤ５６５および設定値５７５という２つの列を含んでよい。一実施形態では、ＢＳＩＤ５６５は、ＢＳＩＤ番号１、ＢＳＩＤ番号２、ＢＳＩＤ番号ｎを含んでよく、設定値５７５は、例えばチャネル帯域幅（ＣＢＷ）、高速フーリエ変換（ＦＦＴ）サイズ、巡回プレフィックス、その他の値を含んでよい。
【００４５】
ブロック４９０で、制御ユニット３４０は、設定値を利用して、サービス提供ＦＡＰ１２０−Ａを自己設定することができる。この結果、サービス提供ＦＡＰ１２０−Ａは、手動の介入をなんら必要とせず、または最小限の手動の介入だけで、自己設定または動作することができる。
【００４６】
図６は、サービス提供ＦＡＰ１２０−Ａが自己設定するのをサポートすることのできるＳＯＮサーバ１６０の一実施形態を示す。一実施形態では、ＳＯＮサーバ１６０は、インタフェース６１０、パース６２０、データ処理ユニット６３０、メモリ６４０、制御ユニット６５０、設定テーブル６６０、およびクエリ生成器６７０を含んでよい。一実施形態では、自己編成ネットワークサーバは、インタフェースと、インタフェースに連結された制御ユニットと、制御ユニットに連結されたクエリ生成器とを備え、制御ユニットは、ネットワークにプロビジョンされている複数の基地局の複数の基地局識別子と、複数の基地局の無線信号強度インジケータ値とを受信して、制御信号と複数の基地局識別子とをクエリ生成器に送信して、１以上のクエリをクエリ生成器から受信すると、インタフェースを介して１以上のクエリを送信して、クエリ生成器は、制御信号を受信すると１以上のクエリを生成して、１以上のクエリには複数の基地局識別子が含まれてよい。一実施形態では、制御ユニットは、１以上のクエリを送信すると、１以上のクエリに含まれる複数の基地局識別子についての設定データを受信して、設定データは、媒体アクセス制御層および物理層データを含んでよい。一実施形態では、制御ユニットは、ハンドオフ閾値を超える無線信号強度インジケータ値を有する一式の基地局を特定してよい。一実施形態では、制御ユニットは、他の基地局の無線信号強度インジケータがハンドオフ閾値を超えて増加する場合には、一式の基地局を、他の基地局を含むように動的に変更してよい。一実施形態では、制御ユニットは、複数の基地局について提供されている設定データに含まれる一式の基地局の設定データを利用して、一式の基地局の設定値を決定してよい。
【００４７】
一実施形態では、インタフェース６１０は、ＳＯＮサーバ１６０に、ネットワーク環境１００内の他のブロックと通信させてよい。一実施形態では、インタフェース６１０は、電気、物理、およびプロトコルインタフェースを、ネットワーク１００の他のブロックに提供してよい。一実施形態では、インタフェース６１０は、ＢＳＩＤのリスト、サービス提供ＦＡＰ１２０−Ａから受信した対応するＲＳＳＩ、および、ＯＡＭ＆Ｐサーバ１８０から受信した設定データ等の情報を含む入力ユニットを受信して、入力ユニットをパーサ６２０に転送してよい。一実施形態では、インタフェース６１０は、クエリまたはデータユニット等の出力ユニットを、制御ユニット６５０またはデータ処理ユニット６３０から受信して、当該出力データユニットを次のブロックに送信してよい。
【００４８】
一実施形態では、パーサ６２０は、入力ユニットの内容に基づいて、入力ユニットを、データ処理ユニット６３０または制御ユニット６５０のいずれかにルーティングしてよい。一実施形態では、パーサ６２０は、クエリ信号を受信して、クエリを制御ユニット６５０に転送してよい。一実施形態では、データ処理ユニット６３０は、パーサ６２０が提供したパケットを処理してから、パケットをメモリ６４０に格納してよく、または、メモリ６４０に格納されているパケットを取得して、このパケットを処理してから処理済みのパケットをインタフェース６１０に送信してもよい。
【００４９】
一実施形態では、制御ユニット６５０は、基地局識別子（ＢＳＩＤ）および対応するＲＳＳＩをサービス提供ＦＡＰ１２０−Ａから受信して、ＢＳＩＤを設定テーブル６６０に格納してよい。一実施形態では、制御ユニット６５０は、ＢＳＩＤおよび「クエリ生成」信号等の制御信号をクエリ生成器６７０に提供してよい。一実施形態では、制御ユニット６５０は、「クエリ生成」信号を送信すると、１以上のクエリを受信してよい。一実施形態では、制御ユニット６５０は、ＯＡＭ＆Ｐサーバ１８０のアドレスを判断して、ＯＡＭ＆Ｐサーバ１８０のアドレスを、クエリ生成器６７０から受信した１以上のクエリに含めてよい。一実施形態では、制御ユニット６５０は、１以上のクエリをインタフェース６１０に送ってよく、ここから１以上のクエリがＯＡＭ＆Ｐサーバ１８０に転送されてよい。
【００５０】
一実施形態では、制御ユニット６５０は、１以上のクエリを送ると、設定データをＯＡＭ＆Ｐサーバ１８０から受信してよい。一実施形態では、設定データは、ＢＳＩＤがクエリに含まれている基地局それぞれについての媒体アクセス制御（ＭＡＣ）層データおよび物理層（ＰＨＹ）データを含んでよい。一実施形態では、制御ユニット６５０は、設定テーブル６６０に設定データを格納してよい。一実施形態では、制御ユニット６５０は、設定テーブル６６０に格納されている設定値に対して、追加、削除、または修正を行うことができる。一実施形態では、制御ユニット６５０は、１以上のクエリに含まれていたＢＳＩＤの設定データに対して他の属性を追加してもよい。一実施形態では、制御ユニット６５０は、インタフェース６１０に設定値を送信してよく、ここから設定値がサービス提供ＦＡＰ１２０−Ａへと送信されてよい。
【００５１】
サービス提供ＦＡＰ１２０−Ａが自己設定するのをサポートすることのできるＳＯＮサーバ１６０の処理の一実施形態を図８のフローチャートに示す。ブロック８１０で、インタフェース６１０は、ＢＳＩＤおよびＲＳＳＩのリスト（またはレポート）をサービス提供ＦＡＰ１２０−Ａから受信して、このリストを制御ユニット６５０に転送してよい。
【００５２】
ブロック８２０で、制御ユニット６５０は、ＢＳＩＤを含みうる１以上のクエリをインタフェース６１０に送信してよい。一実施形態では、１以上のクエリをＯＡＭ＆Ｐサーバ１８０に転送してよい。一実施形態において、制御ユニット６５０が１以上のクエリを送信する前に、制御ユニット６５０は、サービス提供ＦＡＰ１２０−Ａから受信したＢＳＩＤと、「クエリ生成」信号等の制御信号とをクエリ生成器６７０に提供してよい。一実施形態では、制御ユニット６５０は、「クエリ生成」信号を送信すると、１以上のクエリを受信してよい。一実施形態では、制御ユニット６５０は、ＯＡＭ＆Ｐサーバ１８０のアドレスを判断して、ＯＡＭ＆Ｐサーバ１８０のアドレスを、クエリ生成器６７０から受信する１以上のクエリに含めることができる。
【００５３】
ブロック８４０で、制御ユニット６５０は、基地局識別子が１以上のクエリに含まれていた基地局についての設定データを格納してよい。一実施形態では、制御ユニット６５０は、１以上のクエリを送信すると、ＯＡＭ＆Ｐサーバ１８０から設定データを受信してよい。一実施形態では、設定データは、ＢＳＩＤがクエリに含まれていた基地局それぞれの媒体アクセス制御（ＭＡＣ）層データよび物理層（ＰＨＹ）データを含んでよい。一実施形態では、制御ユニット６５０は、設定テーブル６６０に設定データを格納してよい。
【００５４】
ブロック８５０で、制御ユニット６５０は、１以上のクエリに含まれていたＢＳＩＤのための設定データに他の属性を含めてよい。一実施形態では、設定テーブル６６０に格納される設定値は、図７のテーブル７００に示されているものであってよい。一実施形態では、テーブル７００は、ＢＳＩＤ７１０、ＭＡＣデータ７２０、ＰＨＹデータ７５０、およびその他の属性７７０という４列、および、ｎ行（７９０−１から７９０−ｎ）を含んでよい。一実施形態では、行７９０−１は、設定値番号１を示し、これはＢＳＩＤ番号１、ポート番号１、インタフェースＩＤ番号１、およびＡ１、Ａ２、およびＡ３を含んでよい。一実施形態では、他の属性Ａ１、Ａ２、およびＡ３は、チャネル帯域幅、ＦＦＴサイズ、巡回プレフィックス、およびその他の値を表していてよい。
【００５５】
一実施形態では、ＢＳＩＤ番号１は、サービス提供ＦＡＰ１２０−Ａが送信するスキャン信号に応答したネットワーク環境１００内の基地局のいずれか（例えばＮＦＡＰ１２０−Ｂ）の基地局識別子を表していてよい。一実施形態では、ポート番号１およびインタフェースＩＤ番号１は、それぞれ、ＮＦＡＰ１２０−Ｂの媒体アクセス制御層ポートアドレスおよび物理層アドレスを表していてよい。一実施形態では、サービス提供ＦＡＰ１２０−Ａは、ポート番号１およびインタフェースＩＤ番号１を利用して、ＮＦＡＰ１２０−Ｂとの間の接続を構築してよい。同様に、行７９０−２のエントリは、設定値番号２を示し、これは別の基地局（例えばＯＭＢＳ１４０）の設定値を表していてよく、サービス提供ＦＡＰ１２０−Ａは、設定値番号２を利用してＯＭＢＳ１４０との間の接続を構築してよい。
【００５６】
ブロック８７０で、制御ユニット６５０は、設定値をインタフェース６１０に送信してよく、ここから設定値がサービス提供ＦＡＰ１２０−Ａに送信されてよい。
【００５７】
ＦＡＰ１２０−Ａの自己設定をサポートすることのできるＯＡＭ＆Ｐサーバ１８０の一実施形態を図９に示す。一実施形態では、ＯＡＭ＆Ｐサーバ１８０は、インタフェース９１０、クエリプロセッサ９２０、および、メモリ９３０を含んでよい。
【００５８】
一実施形態では、インタフェース９１０は、ＯＡＭ＆Ｐサーバ１８０に対して、ネットワーク環境１００内にプロビジョンされているＳＯＮサーバ１６０等の他のブロックとの通信を許可することができる。一実施形態では、インタフェース９１０は、有線および無線通信をサポートすることができる。一実施形態では、インタフェース９１０は、電気、物理、およびプロトコルインタフェースを、ネットワーク１００の他のブロックに提供してよい。一実施形態では、インタフェース９１０は、ＳＯＮサーバ１６０から１以上のクエリを受信して、これらクエリをクエリプロセッサ９２０に転送してよい。一実施形態では、インタフェース９１０は、クエリプロセッサ９２０から設定データを受信して、該設定データをＳＯＮサーバ１６０に転送することができる。
【００５９】
一実施形態では、クエリプロセッサ９２０は、クエリが受信されると、設定データを生成することができる。他の実施形態では、クエリプロセッサ９２０は、クエリに含まれている各ＢＳＩＤについて、メモリ９３０に格納されている設定データを取得してよい。一実施形態では、設定データは、物理（ＰＨＹ）層および媒体アクセス制御（ＭＡＣ）層データを含んでよい。一実施形態では、設定データは、ポート番号、ソケット識別子、インタフェース識別子、その他の値を含んでよい。一実施形態では、クエリプロセッサ９２０は、設定データをインタフェース９１０に提供してよい。
【００６０】
サービス提供ＦＡＰ１２０−Ａが自己設定するのをサポートしていてよいＯＡＭ＆Ｐサーバ１８０の処理の一実施形態を図１０のフローチャートに示す。ブロック１０１０で、インタフェース９１０は、クエリが受信されたかをチェックしてよく、クエリが受信されている場合には制御がブロック１０３０に進んでよく、受信されていない場合にはブロック１０１０に進んでよい。
【００６１】
ブロック１０３０で、クエリプロセッサ９２０はクエリを処理してよい。一実施形態では、クエリプロセッサ９２０は、設定を提供するべき、クエリに含まれているＢＳＩＤを取得してよい。
【００６２】
ブロック１０４０で、クエリプロセッサ９２０は、要求されている基地局識別子に関する設定データを含む応答を生成してよい。一実施形態では、クエリプロセッサ９２０は、メモリ９３０に格納されている設定データを取得して、設定データに基づいて応答を準備してよい。一実施形態では、クエリプロセッサ９２０は、この応答をＳＯＮサーバ１６０に送信してよい。
【００６３】
本発明の一定の特徴を例示的な実施形態を参照して記載してきた。しかし記載は限定的に捉えられるべきではない。当業者には明らかである例示的な実施形態の様々な変形例、および、本発明の他の実施形態が、本発明の精神および範囲内に含まれる。
【図１】
0005579849.tif 000002
【図２】
0005579849.tif 000003
【図３】
0005579849.tif 000004
【図４】
0005579849.tif 000005
【図５Ａ】
0005579849.tif 000006
【図５Ｂ】
0005579849.tif 000007
【図６】
0005579849.tif 000008
【図７】
0005579849.tif 000009
【図８】
0005579849.tif 000010
【図９】
0005579849.tif 000011
【図１０】
0005579849.tif 000012